(57)【要約】【課題】ローラーによるローラー作用部への押圧力を高めることができる美容機器を提供することを目的としている。【解決手段】把持部１内に、アーム部２の回動中心となる一対のアーム支持軸１４を設け、一対のアーム部２の軸支部２５を、アーム部２がローラー３の間隔を離接可能に、アーム支持軸１４にそれぞれ軸支させるとともに、把持部１内に付勢手段としてのゴムブロック５を設け、アーム部２のローラー３の間隔が規定された初期間隔より拡がった状態になると、ゴムブロック５が圧縮され、圧縮されたゴムブロック５の圧縮反力によって軸支部２５がローラー３の間隔が狭まる方向に回動する方向に付勢されて、ローラー３のローラー作用部への押圧力を確保できるようにした。【選択図】      図４
2019187929.tif 000002
【特許請求の範囲】
【請求項１】
把持部と、この把持部に一端が支持された状態で前記把持部から延設され、他端が開放された一対のアーム部と、各アーム部の開放端側でそれぞれ前記アーム部に回転自在に支持されたローラーを備え、
２つのアーム部間にローラー作用部が配置された状態で、前記把持部をアーム部方向に前後動させるに伴って、前記各ローラーが、各アーム部から伝達される付勢力によって、前記ローラー作用部を押圧しつつ前記ローラー作用部表面に沿って転動可能に構成した美容機器であって、
前記把持部が、前記アーム部の回動中心となるアーム支持軸を有し、
前記一対のアーム部が、前記ローラー間を離接可能に、前記アーム支持軸にそれぞれ軸支されているとともに、
前記把持部に、前記一対のアーム部の前記ローラー間隔が規定された初期間隔より拡がった状態で、前記ローラー間隔を狭める方向に前記アーム部を付勢する付勢手段が設けられていることを特徴とする美容機器。
【請求項２】
前記把持部は、ハウジングを有し、このハウジング内に前記アーム支持軸が設けられていて、
前記アーム部は、アーム部本体と、このアーム部本体から延出し、前記ハウジング内で前記アーム支持軸に軸支される軸挿通孔を有する軸支部を備えている請求項１に記載の美容機器。
【請求項３】
前記アーム部は、アーム部本体が樹脂成形されていて、前記軸支部が、前記アーム部本体に残部がインサート成形またはアウトサート成形された金属部材で形成されている請求項２に記載の美容機器。
【請求項４】
前記ハウジング内に一対のアーム支持軸を備え、これらのアーム支持軸のうち、一方のアーム支持軸に、一方の前記アーム部の軸支部が軸支され、他方のアーム支持軸に、他方の前記アーム部の軸支部が軸支されている請求項２または請求項３に記載の美容機器。
【請求項５】
前記付勢手段が、前記ハウジング内に内蔵されたゴムブロック又はバネであって、
このゴムブロック又はバネの圧縮方向の一端が、前記ハウジング内で固定された固定受け部材の、ハウジング壁と前記ゴムブロック又はバネの間に介在する付勢手段受部で受けられ、
前記ゴムブロック又はバネの圧縮方向の他端が、前記ハウジング内に内蔵され、各アーム部の回動動作で前記付勢手段受部方向に進退するスライド部材の圧縮部に受けられている請求項２〜請求項４のいずれかに記載の美容機器。
【請求項６】
前記固定受け部材が、前記付勢手段受部と、少なくとも前記アーム部支持軸が挿通される軸挿通孔を有する固定部とを有する請求項５に記載の美容機器。
【請求項７】
前記スライド部材が、前記圧縮部と、この圧縮部の両側から同方向に折れ曲がるように設けられた２つの脚部を有し、
前記圧縮部の脚部側の面が、前記一対のアーム部の軸支部の端面間に跨るように配置された状態で、前記圧縮部に直交する方向に進退可能に前記把持部のハウジング内に収容されている請求項５または請求項６に記載の美容機器。
【請求項８】
ハウジング内に前記アーム支持軸と平行に設けられたストッパピンと、前記アーム部の軸支部に設けられ、前記アーム部の前記ローラー間隔が初期間隔にあるとき、前記ストッパピンに当接する第１当接部と、前記アーム部の軸支部に設けられ、前記アーム部の前記ローラー間隔が設定された規定最大間隔になったとき前記ストッパピンに当接する第２当接部とからなる請求項４〜請求項７のいずれかに記載の美容機器。
【発明の詳細な説明】
【技術分野】
【０００１】
本発明は、顔、腕、脚などの筋肉を適切にエクササイズし、筋肉を引き締めることのできる美容機器に関する。
【背景技術】
【０００２】
近年、美容機器として、例えば、顔をマッサージすることによりフェイスライン等を引き締めるべく、多種多様な美顔器が提供されている。
【０００３】
この種の美顔器としては、例えば、把持部と、把持部から延びる２本のアーム部を有し、アーム部の先端にそれぞれローラーを回転可能に支持したものが既に提案されている。
（特許文献１、２）。
【０００４】
すなわち、一般的に、ほうれい線や口の両脇のしわ等の顔のたるみは、加齢や無表情等の理由によって、顔のいわゆる表情筋や広頚筋の筋力の低下が原因とされている。
そこで、上記美顔器は、上記ローラー間で顔を挟み込んだ状態にし、アーム部の弾性力でローラーを顔面に付勢した状態でローラーを顔面に沿って転動させることによって、筋肉に圧を加えて刺激（エクササイズ）して筋肉を強化することによってフェイスラインを引き締めるようにしている。
【先行技術文献】
【特許文献】
【０００５】
【特許文献１】実用新案登録第３１３１４９４号公報
【特許文献２】意匠登録第１４６８６００号公報
【発明の概要】
【発明が解決しようとする課題】
【０００６】
しかしながら、上記従来の美容機器においては、ローラーによる押圧力を樹脂で形成されたアーム部の弾性復元力によって確保するようになっているため、十分な押圧力を得ることが難しい。
また、昨今は、ローラー部分に電極を設けるとともに、把持部内に給電装置を設け、電極と給電装置をアーム部に設けられた中空部を介してコードで接続し、電極に通電することによって、ローラーによる押圧とともに、顔の筋肉に電気刺激を与えるようにした美顔器（美容ローラー）も提案されているが、上記のように中空部を設ける場合、アーム部を構成する樹脂としては、剛性の高いものにせざるを得ない。
したがって、アーム部の撓みが少なく、ローラーによる押圧力の不足を招くおそれが高くなる。
【０００７】
本発明は、上記事情に鑑みて、ローラーによるローラー作用部への押圧力を高めることができる美容機器を提供することを目的としている。
【課題を解決するための手段】
【０００８】
上記目的を達成するために、本発明にかかる美容機器（以下、「本発明の美容機器」と記す）は、把持部と、この把持部に一端が支持された状態で前記把持部から延設され、他端が開放された一対のアーム部と、各アーム部の開放端側でそれぞれ前記アーム部に回転自在に支持されたローラーを備え、２つのアーム部間にローラー作用部が配置された状態で、前記把持部をアーム部方向に前後動させるに伴って、前記各ローラーが、各アーム部から伝達される付勢力によって、前記ローラー作用部を押圧しつつ前記ローラー作用部表面に沿って転動可能に構成した美容機器であって、前記把持部が、前記アーム部の回動中心となるアーム支持軸を有し、前記一対のアーム部が、前記ローラー間を離接可能に、前記アーム支持軸にそれぞれ軸支されているとともに、前記把持部に、前記一対のアーム部の前記ローラー間隔が規定された初期間隔より拡がった状態で、前記ローラー間隔を狭める方向に前記アーム部を付勢する付勢手段が設けられていることを特徴としている。
【０００９】
本発明において、ローラー作用部とは、顔、頭、腕、脚などが挙げられる。
本発明において、規定最小間隔とは、アーム部に外力が加わらず、ローラー間に何も挟んでいない状態のローラー間の間隔をいう。
【００１０】
本発明の美容機器は、把持部が、ハウジングを有し、このハウジング内にアーム支持軸が設けられていて、アーム部が、アーム部本体と、このアーム部本体から延出し、前記ハウジング内で前記アーム支持軸に軸支される軸挿通孔を有する軸支部を備えている構成とすることが好ましい。
すなわち、上記構成のようにすれば、軸支部がハウジング内に入り込んで外部から見えないので、美容機器全体が意匠性の高いものとなる。
【００１１】
本発明の美容機器は、前記アーム部は、アーム部本体が樹脂成形されていて、前記軸支部が、前記アーム部本体に残部がインサート成形またはアウトサート成形された金属部材で形成されている構成とすることが好ましい。
【００１２】
なお、上記アーム部本体を形成する樹脂としては、特に限定されないが、例えば、ポリカーボネート樹脂、ポリプロピレン樹脂、ポリエチレン樹脂、ＡＢＳ樹脂、ポリカーボネート樹脂を含むポリマーアロイ化樹脂などが挙げられ、剛性に優れていることからポリカーボネート樹脂、あるいは、ポリカーボネート樹脂を含むポリマーアロイ化樹脂が好ましい。
金属部材としては、特に限定されないが、軽量化を図るためアルミニウムあるいはその合金からなるダイキャスト製のものが好ましい。
【００１３】
本発明において、アーム支持軸は、アーム部毎に１本ずつ設けても構わないし、１本のアーム支持軸で２本のアーム部の軸支部を軸支するようにしても構わない。
本発明の美容機器は、付勢手段としてゴムブロック又はバネを把持部のハウジング内に内蔵し、前記ゴムブロック又はバネの圧縮方向の一端を、前記ハウジング内で固定された固定受け部材の、ハウジング壁と前記ゴムブロック又はバネの間に介在する付勢手段受部で受けられ、前記ゴムブロック又はバネの圧縮方向の他端を、前記ハウジング内に内蔵され、各アーム部の回動動作で前記固定受け部材の付勢手段受部方向に進退するスライド部材の圧縮部に受けられている構成とすることが好ましい。
すなわち、上記の構成にすれば、ゴムブロック又はバネの一端が固定受け部材の付勢手段受部で受けられ、付勢力がハウジング壁に直接加わらないようになっているので、ハウジングがゴムブロック又はバネの付勢力によって破損することを防止できる。
なお、上記ゴムブロックを構成するゴム材料としては、特に限定されないが、ＮＢＲ，シリコーンゴム、熱可塑性樹脂エラストマーなどが挙げられる。
【００１４】
本発明の美容機器は、固定受け部材が、付勢手段受部と、少なくとも前記アーム部支持軸が挿通される軸挿通孔を有する固定部とを有する構成とすることが好ましい。
すなわち、上記の構成にすれば、アーム部支持軸によって固定受け部材の位置が規制され、付勢手段受部に加わる付勢力が固定部を介してアーム部支持軸に受けられる。
本発明の美容機器は、スライド部材が、前記圧縮部と、この圧縮部の両側から同方向に折れ曲がるように設けられた２つの脚部を有し、前記圧縮部の脚部側の面が、前記一対のアーム部の軸支部の端面間に跨るように配置された状態で、前記圧縮部に直交する方向に進退可能に前記把持部のハウジング内に収容されている構成とすることが好ましい。
すなわち、上記構成のようにすれば、アーム部の回動動作に連動してゴムブロックまたはバネが付勢手段受部と圧縮部との間で挟みこんで、ゴムまたはバネの圧縮反力を確実に軸支部に伝えることができる。
【００１５】
本発明の美容機器は、前記アーム部の回動角規制機構を備えていることが好ましい。
すなわち、回動角規制機構を備えているので、初期状態でのローラー間隔が規定された間隔に保たれるので、ローラー作用部を容易に挟み込める。また、過度に回動し、アーム部が破損したり、把持部が破損したりすることを防止できる。
【００１６】
前記回動角規制機構としては、ハウジング内に前記アーム支持軸と平行にストッパピンを設け、アーム部の前記ローラー間隔が定常位置のあるとき、前記ストッパピンに当接する第１当接部と、アーム部の前記ローラー間隔が設定された最大間隔になったとき前記ストッパピンに当接する第２当接部とを軸支部に設ける構成が挙げられる。
【発明の効果】
【００１７】
本発明の美容機器は、上記のように、把持部と、この把持部に一端が支持された状態で前記把持部から延設され、他端が開放された一対のアーム部と、各アーム部の開放端側でそれぞれ前記アーム部に回転自在に支持されたローラーを備え、２つのアーム部間にローラー作用部が配置された状態で、前記把持部をアーム部方向に前後動させるに伴って、前記各ローラーが、各アーム部から伝達される付勢力によって、前記ローラー作用部を押圧しつつ前記ローラー作用部表面に沿って転動可能に構成した美容機器であって、前記把持部が、前記アーム部の回動中心となるアーム支持軸を有し、前記一対のアーム部が、前記ローラー間を離接可能に、前記アーム支持軸にそれぞれ軸支されているとともに、前記把持部に、前記一対のアーム部の前記ローラー間隔が規定された初期間隔より拡がった状態で、前記ローラー間隔を狭める方向に前記アーム部を付勢する付勢手段が設けられているので、付勢手段による付勢力によって、ローラーによる押圧力を調整して、筋肉を効率よく強化できるものにできる。
【図面の簡単な説明】
【００１８】
【図１】本発明の美容機器の１つの実施の形態である美顔器の斜視図である。
【図２】図１の美顔器のアーム部が規定状態の平面図である。
【図３】図１の美顔器のアーム部が最大まで開いた状態の平面図である。
【図４】図２のＸ−Ｘ断面図である。
【図５】図２のＹ−Ｙ断面図である。
【図６】図１の美顔器の要部分解斜視図である。
【図７】図１の美顔器のハウジングのカバーを取り除いた状態の要部斜視図である。
【図８】図１の美顔器のアーム部の軸支部を説明する斜視図である。
【図９】図１の美顔器のローラー間隔が規定最小間隔にあるときの、ゴムブロックの状態を説明する図である。
【図１０】図１の美顔器のローラー間隔が最大間隔にあるときの、ゴムブロックの状態を説明する図である。
【発明を実施するための形態】
【００１９】
以下に、本発明の実施の形態の一例をあらわす図面を参照しつつ詳しく説明する。
図１〜図３は、本発明の美容機器の１つの実施の形態である美顔器をあらわしている。
【００２０】
図１〜図３に示すように、この美顔器Ａは、把持部１と、一対のアーム部２と、一対のローラー３を備えている。
各アーム部２は、アーム本体２１と、図６および図８に示すように、アーム本体２１の一側端から延出し、後で詳述するアーム支持軸１４に軸支される平行に設けられた一対の軸支部２５を備えている。
【００２１】
アーム本体２１は、二股に分かれた一対の分岐部２１ａを備え、この分岐部２１ａの開放端間にローラー３が回転自在に軸支されている。
また、アーム本体２１は、ポリカーボネート樹脂で形成されたアームベース２２と、アームカバー２３を備えている。
【００２２】
アームベース２２は、図６および図８に示すように、一端に軸支部２５をそれぞれ有するステンレス鋼等で形成された２枚の板金部材２４の残部と、２枚の板金部材２４の間隔を規定し、板金部材２４間に樹脂の進入を防止するように設けられたスペーサ部２６ａを有し、アーム部２の骨組を構成するアームコア２６とがインサートされた状態に成形されている
アームカバー２３は、アームベース２２との間に中空部を形成するようにアームベース２２にセットされている。
【００２３】
軸支部２５は、図８に示すように、軸挿通孔２５ａと、脚部受部２５ｂと、第１当接部２５ｃと、第２当接部２５ｄを備えている。
また、一対のアーム部２は、ローラー３を対向させた状態で、それぞれ後述する把持部１の一端に設けられた開口から把持部１のハウジング１１内に軸支部２５が入り込んで、図５に示すように、ＰＯＭ樹脂製の第１摺動部材６の筒部および第２摺動部材７の筒部を介してハウジング１１内に平行に設けられたアーム支持軸１４に支持されていて、アーム支持軸１４を中心に回動可能になっている。
【００２４】
一方、把持部１は、図６に示すように、ベース１１ａとカバー１１ｂからなるハウジング１１内に、給電装置１３と、前述のアーム支持軸１４と、ステンレス鋼等の金属材料からなるストッパピン１５と、ステンレス鋼等の金属材料からなる固定受け部材４と、付勢手段としてのＮＢＲ等のゴム製のゴムブロック５と、前述の第１摺動部材６および第２摺動部材７と、ステンレス鋼等の金属材料からなる金属カバー部材８と、ステンレス鋼等の金属材料からなるスライド部材９を備えている。
給電装置１３は、図示していないが、充電池と、制御装置と、図１〜図３に示すように、スイッチＳ１，Ｓ２を備えている。
【００２５】
ストッパピン１５は、２つのアーム支持軸１４と平行に設けられていて、図１および図２に示すように、ローラー３の間隔が所期間隔にあるとき、図９に示すように、軸支部２５の第１当接部２５ｃが当接し、アーム部２が初期間隔以下まで回動しないようにするとともに、図３に示すように、ローラー３の間隔が規定最大間隔となる位置までアーム部２が回動したとき、図１０に示すように、軸支部２５の第２当接部２５ｄが当接し、アーム部２が規定最大間隔以上に回動しないようになっている。
金属カバー部材８は、図４に示すように、ハウジング１１のベース部１１ａに固定されている。
【００２６】
スライド部材９は、図４に示すように、圧縮部９１と、圧縮部９１の両側から圧縮部９１に対して直交するように設けられた２つの脚部９２を備え、圧縮部９１と両脚部９２の一方の側面が金属カバー部材８にスライド可能に受けられている。
また、スライド部材９は、図９および図１０に示すように、圧縮部９１が一対のアーム部２の軸支部２５に跨るように配置されている。
【００２７】
そして、スライド部材９は、ローラー３の間隔が初期間隔のとき、図９に示すように、軸支部２５の圧縮部受部２５ｂの全面で受けられるとともに、ローラー間隔が初期間隔よりローラー間隔が広がる方向に、アーム部２が回動するに伴い、図１０に示すように、圧縮部受部２５ｂのエッジ部分によって押されて、後述する固定受け部材４の付勢手段受部４２側に移動するようになっている。
【００２８】
ゴムブロック５は、図４に示すように、圧縮方向の一端面が圧縮部９１に当接し、圧縮方向の他端面が後述する固定受け部材４の付勢手段受部４２に当接するように設けられている。
固定受け部材４は、固定部４１と、この固定部４１に対して直交するように設けられた付勢手段受部４２を備えている。
【００２９】
固定部４１は、２つのアーム支持軸挿通孔４１ａと、１つのストッパピン挿通孔４１ｂが穿設されている。
そして、固定受け部材４は、固定部４１のアーム支持軸挿通孔４１ａにアーム支持軸１４が挿通され、固定部４１のストッパピン挿通孔４１ｂにスットパピン１５が挿通されるとともに、図７に示すように、アーム支持軸１４にＥリング１６を装着することによって、付勢手段受部４２がゴムブロック５とハウジング１１の側壁との間でゴムブロック５の圧縮方向の他端面を受けるようにハウジング１１内で固定されている。
【００３０】
ローラー３は、図１に示すように、それぞれ２つのリング状の電極３１と、この二つの電極３１を絶縁状態で支持する絶縁部３２と、カバー部３３を備えている。
２つの電極３１は、アーム本体２１内を通る配線（図示せず）によって、把持部１のハウジング１１内の給電装置１３と接続されていて、スイッチＳ１，Ｓ２を操作することによって電極３１に接触した顔の筋肉に電気刺激を与えること、および、顔の表層にラジオ波を流すことが、同時に、あるいは、個別にできるようになっている。
【００３１】
この美顔器Ａは、上記のように、付勢手段としてゴムブロック５を備え、ローラー間隔が拡がると、図４に示すように、スライド部材９が付勢手段受部４２方向に移動するので、図１０に示すように、ゴムブロック５が付勢手段受部４２と、圧縮部９１との間で圧縮される。
そして、この圧縮により生じた圧縮反力によって軸支部２５を介してアーム部２をローラー間隔が狭まる方向に付勢力が働くので、ローラー作用部である顔をローラー３間に挟んだ状態で、手で持った把持部１をアーム部２方向に前後動させれば、ローラー３に十分な圧を保たせながら、ローラー３を顔の表面に沿って転動させることができる。
したがって、ローラー３によって、顔の表情筋や広頚筋に適切な圧力を加えて筋肉の強化を効率よく行うことができる。
【００３２】
また、この美顔器Ａは、ゴムブロック５の一端面が、ハウジング１１の側壁面との間に介在する固定受け部材４の付勢手段受部４２に受けられているので、ゴムブロック５が圧縮されても、圧縮反力がポリカーボネート樹脂製のハウジング１１の側壁面に加わらない。
また、固定受け部材４の固定部４１が２本のアーム支持軸１４およびストッパピン１５によって支持されているので、固定部４１にかかるゴムブロック５の圧縮反力が分散されてハウジング１１に伝達される。
したがって、ゴムブロック５を反発力の強いものにしても、ハウジング１１が圧縮反力によって破損することが防止できる。
すなわち、他の部分の構造を変更することなく、ゴムブロック５の材質や厚み等を変更するだけで、ローラー３による顔への圧力を調整することができる。
【００３３】
この美顔器Ａは、ローラー３の間隔が初期間隔のとき、軸支部２５の第１当接部２５ｃがストッパピン１５に当接し、アーム部２が初期間隔以下まで回動することを防止できる。
したがって、アーム部２が破損したり、把持部１が破損したりすることを防止できる。
また、ローラー３の間隔が規定最大間隔となる位置までアーム部２が回動したとき、軸支部２５の第２当接部２５ｄがストッパピン１５に当接して、アーム部２が規定最大間隔以上の回動を防止できるようになっているので、アーム部が必要以上に回動して、ローラーからローラー作用部へ加わる圧が不足することを防止できる。
【００３４】
この美顔器Ａは、アーム部２の骨組みを構成するアームコア２６が、アルミダイキャストで形成されているので、アーム部２が軽量化できる。
軸支部２５が、板金部材２４で形成されているので、軸支部２５が強度的に優れたものとなる。すなわち、軸支部２５もアルミダイキャストで形成すると、使用状態によっては金属疲労によって軸支部２５が破損するおそれがある。
この美顔器Ａは、各ローラー３に一対の電極３１を設け、この電極３１間に電流を流したり、ラジオ波を流すことができるので、筋肉に電気的刺激を与えたり、皮膚内で熱を発生させてより美顔効果を高めることができる。
【００３５】
本発明は、上記の実施の形態に限定されない。たとえば、上記の実施の形態では、アーム部にローラーが１つずつ支持されていたが、２つ以上設けても構わない。
上記の実施の形態では、ハウジング内に一対のアーム支持軸を設け、一方のアーム部の軸支部を一方のアーム支持軸に軸支し、他方のアーム部の軸支部を他方のアーム支持軸に軸支していたが、把持部の中心軸に１本のアーム支持軸を設け、両アーム部の軸支部を共にこの一本のアーム支持軸に軸支するようにしても構わない。
【００３６】
上記の実施の形態では、２枚の板金部材の間にアームコアのスペーサ部を介在させた状態で、アーム本体部にインサート成形するようにしていたが、無垢の削り出し金属部材をインサートやアウトサートして軸支部を形成するようにしても構わない。
上記の実施の形態では、ハウジング内に設けた１つのストッパピンに２つのアーム部の軸支部が当接して回動角が規制されるようになっていたが、アーム部毎に軸支部の回動角を規制する手段をハウジング内部あるいは外部に設けるようにしても構わない。
【００３７】
上記の実施の形態では、ローラーが電極を備え、把持部のハウジング内に設けられた給電装置から電極に給電して、筋肉に電気的刺激を与えたり、ラジオ波を流せたりするようにしていたが、いずれか一方でも構わないし、ローラーに電極が設けられていなくても構わない。
【符号の説明】
【００３８】
Ａ  美顔器（美容機器）
１  把持部
１１  ハウジング
１１ａ  ベース部
１１ｂ  カバー
１３  給電装置
１４  アーム支持軸
１５  ストッパピン
１６  Ｅリング
２  アーム部
２１  アーム部本体
２１ａ  分岐部
２２  アームベース
２３  アームカバー
２４  板金部材（金属部材）
２５  軸支部
２５ａ  軸挿通孔
２５ｂ  圧縮部受部
２５ｃ  第１当接部
２５ｄ  第２当接部
２６  アームコア
２６ａ  スペーサ部
３  ローラー
３１  電極
３２  カバー部
３３  絶縁部
４  固定受け部材
４１  固定部
４１ａ  アーム支持軸挿通孔
４１ｂ  ストッパピン挿通孔
４２  付勢手段受部
５  付勢手段
６  第１摺動部材
７  第２摺動部材
８  金属カバー部材
９  スライド部材
９１  圧縮部
９２  脚部
Ｓ１  スイッチ
Ｓ２  スチッチ
【図１】
2019187929.tif 000003
【図２】
2019187929.tif 000004
【図３】
2019187929.tif 000005
【図４】
2019187929.tif 000006
【図５】
2019187929.tif 000007
【図６】
2019187929.tif 000008
【図７】
2019187929.tif 000009
【図８】
2019187929.tif 000010
【図９】
2019187929.tif 000011
【図１０】
2019187929.tif 000012